(57)【要約】【課題】ガードレールに用いられている波形状のビーム材を円管状のビーム材に取り替える場合、既設の支柱に後加工をすることなく、効率よくビーム材を取り替えることができる横ビーム取付具用係止具及びそれを用いた防護柵と防護柵の改修方法を提供する。【解決手段】設置面Ｇに間隔をあけて立設され、その側面を貫通する貫通孔１１が穿設された支柱１に横ビーム２が取付けられた防護柵Ｐの前記横ビーム取付具用係止具４が、前記縦板部４１の係止部４２に設けられた通孔４２１と前記支柱１の貫通孔１１とにボルト５が挿通されて、前記支柱１に取付けられるとともに、前記ボルト５により第一の横ビーム取付具３ａが前記支柱１に取付けられ、一方で前記取付部４３に第二の横ビーム取付具３ｂが取付けられ、前記第一の横ビーム取付具３ａと第二の横ビーム取付具３ｂとに横ビーム２をそれぞれ取付けるようにする。【選択図】        図６
2015048678.tif 000002
【特許請求の範囲】
【請求項１】
設置面に立設された支柱に横ビームを取付ける横ビーム取付具を前記支柱に係止するための横ビーム取付具用係止具であって、支柱の上下方向に沿って配置される縦長の縦板部と、縦板部の上部に設けられて前記縦板部を支柱に取付けるための係止部と、縦板部の下部に設けられて横ビーム取付具が取付けられる取付部とを備えたことを特徴とする横ビーム取付具用係止具。
【請求項２】
前記取付部はその基端部が前記縦板部に取付けられているとともに、前記基端部の左右から前方に、平面視Ｕ字形となるように突設された湾曲部の先端部に、横ビーム取付具が取付けられるようになされていることを特徴とする請求項１に記載の横ビーム取付具用係止具。
【請求項３】
前記縦板部の係止部に通孔が設けられ、前記通孔にボルトを挿入することにより、前記縦板部が支柱に取付けられるようになされていることを特徴とする請求項１又は２に記載の横ビーム取付具用係止具。
【請求項４】
設置面に間隔をあけて立設され、その側面を貫通する貫通孔が穿設された支柱に横ビームが取付けられた防護柵であって、請求項３に記載の横ビーム取付具用係止具が、前記縦板部の係止部に設けられた通孔と前記支柱の貫通孔とにボルトが挿通されて、前記支柱に取付けられるとともに、前記ボルトにより第一の横ビーム取付具が前記支柱に取付けられ、かつ前記取付部に第二の横ビーム取付具が取付けられ、前記第一の横ビーム取付具と第二の横ビーム取付具とに横ビームがそれぞれ取付けられていることを特徴とする防護柵。
【請求項５】
既設の防護柵の支柱に取付けられている柵部材を支柱から取り外した後、前記既設の支柱に穿設されている貫通孔と請求項３に記載の横ビーム取付具用係止具の縦板部の係止部に設けられた通孔とにボルトを挿通し、前記横ビーム取付具用係止具が前記既設の支柱に取付けられるとともに、前記ボルトにより第一の横ビーム取付具を前記支柱に取付け、かつ前記取付部に第二の横ビーム取付具を取付け、前記第一の横ビーム取付具と第二の横ビーム取付具とに横ビームを取付けることを特徴とする防護柵の改修方法。
【請求項６】
前記既設の防護柵は、設置面に間隔をあけて立設された支柱に、縦断面が波板状のレール板が取付けられているものであることを特徴とする請求項５に記載の防護柵の改修方法。
【発明の詳細な説明】
【技術分野】
【０００１】
本発明は、道路や橋梁等に設置され、設置面に立設された支柱に横ビームを取付ける横ビーム取付具を前記支柱に係止するための横ビーム取付具用係止具並びにそれを用いた防護柵及び防護柵の改修方法に関するものである。
【背景技術】
【０００２】
従来、道路や橋梁等に設置される防護柵としては、所定の間隔を存して立設された支柱に金属製の波形状のビーム材が取り付けられているガードレールが挙げられ、例えば、特許文献１の図９や特許文献２の図２，４に示されるように、波形状のビーム材が、支柱を貫通して挿通されている固定ボルトとナットによってブラケットを介して支柱に固定されている。
【先行技術文献】
【特許文献】
【０００３】
【特許文献１】特開２０１２−１９３５８２号公報
【特許文献２】特開２００７−２６２７２３号公報
【発明の開示】
【発明が解決しようとする課題】
【０００４】
そして、上記防護柵であるガードレールに用いられている波形状のビーム材を円管状のビーム材に取り替える場合、波形状のビーム材と同等の強度を具備させるには、円管状のビーム材が上下に２本必要となってくるため、上側の円管状のビーム材は、波形状のビーム材が取付けられている支柱に既設の貫通孔を利用して取付けることができるものの、下側の円管状のビーム材は、設置場所において立設されている支柱に別の貫通孔をあけると言った後加工が必要となるため、取り替え作業が煩雑なものとなっていた。
【０００５】
本発明は、ガードレールに用いられている波形状のビーム材を円管状のビーム材に取り替える場合等においても、既設の支柱に後加工をすることなく、効率よくビーム材を取り替えることができる横ビーム取付具用係止具並びにそれを用いた防護柵及び防護柵の改修方法を提供せんとするものである。
【課題を解決するための手段】
【０００６】
上記目的を達成するために、本発明は次のような構成としている。
すなわち、本発明に係る横ビーム取付具用係止具は、設置面に立設された支柱に横ビームを取付ける横ビーム取付具を前記支柱に係止するための横ビーム取付具用係止具であって、支柱の上下方向に沿って配置される縦長の縦板部と、縦板部の上部に設けられて前記縦板部を支柱に取付けるための係止部と、縦板部の下部に設けられて横ビーム取付具が取付けられる取付部とを備えたことを特徴とするものである。
【０００７】
また本発明に係る横ビーム取付具用係止具は、前記取付部はその基端部が前記縦板部に取付けられているとともに、前記基端部の左右から前方に、平面視Ｕ字形となるように突設された湾曲部の先端部に、横ビーム取付具が取付けられるようになされていてもよい。
【０００８】
また本発明に係る横ビーム取付具用係止具は、前記縦板部の係止部に通孔が設けられ、前記通孔にボルトを挿入することにより、前記縦板部が支柱に取付けるようにしてもよい。
【０００９】
また本発明に係る防護柵は、設置面に間隔をあけて立設され、その側面を貫通する貫通孔が穿設された支柱に横ビームが取付けられた防護柵であって、前記横ビーム取付具用係止具が、前記縦板部の係止部に設けられた通孔と前記支柱の貫通孔とにボルトが挿通されて、前記支柱に取付けられるとともに、前記ボルトにより第一の横ビーム取付具が前記支柱に取付けられ、かつ前記取付部に第二の横ビーム取付具が取付けられ、前記第一の横ビーム取付具と第二の横ビーム取付具とに横ビームがそれぞれ取付けられていることを特徴とするものである。
【００１０】
また本発明に係る防護柵の改修方法は、既設の防護柵の支柱に取付けられている柵部材を支柱から取り外した後、前記既設の支柱に穿設されている貫通孔と前記横ビーム取付具用係止具の縦板部の係止部に設けられた通孔とにボルトを挿通し、前記横ビーム取付具用係止具が前記既設の支柱に取付けられるとともに、前記ボルトにより第一の横ビーム取付具を前記支柱に取付け、かつ前記取付部に第二の横ビーム取付具を取付け、前記第一の横ビーム取付具と第二の横ビーム取付具とに横ビームを取付けることを特徴とするものである。
【００１１】
また本発明に係る防護柵の改修方法は、前記既設の防護柵は、設置面に間隔をあけて立設された支柱に、縦断面が波板状のレール板が取付けられているものであってもよい。
【発明の効果】
【００１２】
本発明に係る横ビーム取付具用係止具によれば、支柱の上下方向に沿って配置される縦長の縦板部と、縦板部の上部に設けられて前記縦板部を支柱に取付けるための係止部と、縦板部の下部に設けられて横ビーム取付具が取付けられる取付部とを備えているため、前記係止部により縦板部を支柱に取付けるとともに、下部の取付部に横ビーム取付具を取付ければよいので、支柱に後加工を行うことなく、効率的に横ビームを取付けることができる。
【００１３】
また本発明に係る横ビーム取付具用係止具によれば、前記取付部はその基端部が前記縦板部に取付けられているとともに、前記基端部の左右から前方に、平面視Ｕ字形となるように突設された湾曲部の先端部に、横ビーム取付具が取付けられるようになされているため、支柱の背面側から平面視Ｕ字形の取付部を支柱側面に当接させ、その先端部に横ビーム取付具を取付け、そしてこの取付けられた横ビーム取付具に下側の横ビームを取付ければよいので、支柱に後加工を行うことなく、効率的に横ビームを取付けることができる。
【００１４】
また本発明に係る横ビーム取付具用係止具によれば、前記縦板部の係止部に通孔が設けられ、前記通孔にボルトを挿入することにより、前記縦板部が支柱に取付けられるようになされているため、前記通孔にボルトを挿入するだけで、縦板部を備えた横ビーム取付具用係止具を支柱に取付けることができ、効率よく横ビームを支柱に取付けることができる。
【００１５】
また本発明に係る防護柵によれば、横ビーム取付具用係止具が、前記縦板部の係止部に設けられた通孔と前記支柱の貫通孔とにボルトが挿通されて、前記支柱に取付けられるとともに、前記ボルトにより第一の横ビーム取付具が前記支柱に取付けられ、かつ前記取付部に第二の横ビーム取付具が取付けられ、前記第一の横ビーム取付具と第二の横ビーム取付具とに横ビームがそれぞれ取付けられているため、支柱に孔あけ加工を施すなどの後加工を行うことなく、効率よくビーム材を取り替えることができる。
【００１６】
また本発明に係る防護柵の改修方法によれば、既設の防護柵の支柱に取付けられている柵部材を支柱から取り外した後、前記既設の支柱に穿設されている貫通孔と前記横ビーム取付具用係止具の縦板部の係止部に設けられた通孔とにボルトを挿通し、前記横ビーム取付具用係止具が前記既設の支柱に取付けられるとともに、前記ボルトにより第一の横ビーム取付具を前記支柱に取付け、かつ前記取付部に第二の横ビーム取付具を取付け、前記第一の横ビーム取付具と第二の横ビーム取付具とに横ビームを取付けるようにしているため、支柱に孔あけ加工を施すなどの後加工を行うことなく、効率よくビーム材を取り替えることができる。
【００１７】
また本発明に係る防護柵の改修方法によれば、前記既設の防護柵は、設置面に間隔をあけて立設された支柱に、縦断面が波板状のレール板が取付けられているため、縦断面が波板状のレール板を横ビームに取替える際、効率よくビーム材を取り替えることができる。
【図面の簡単な説明】
【００１８】
【図１】本発明に係る防護柵の実施の一形態を示す背面側からの斜視図である。
【図２】本発明に係る防護柵の改修方法による改修前の既設の防護柵の背面側からの斜視図である。
【図３】図２に示す防護柵から柵部材を取外し、支柱のみの状態を示す斜視図である。
【図４】本発明に係る防護柵の分解斜視図である。
【図５】本発明に係る防護柵の斜視図である。
【図６】図４に示す横ビーム取付具用係止具の前面側からの斜視図である。
【図７】図４に示す第一の横ビーム取付具の前面側からの斜視図である。
【図８】図４に示す第二の横ビーム取付具の前面側からの斜視図である。
【図９】図４に示す横ビーム取付具用係止具の別の実施形態を示す斜視図である。
【発明を実施するための形態】
【００１９】
次に、本発明を実施するための形態について図面を参照し、具体的に説明する。
図面において、Ｐは本発明に係る防護柵であり、１は間隔をおいて設置面Ｇにその下部が埋設されて立設された円筒状の支柱、２は該支柱１間に上下２段に架け渡された円筒状の横ビーム、３は横ビーム２を支柱１の側面に取付ける横ビーム取付具、４は横ビーム取付具３を支柱１に係止する横ビーム取付具用係止具、５は横ビーム取付具用係止具４を支柱１に取付けるボルトである。なお、この明細書においては、設置された防護柵Ｐの車道側である支柱１の側面に横ビーム２が取付けられている側を前面側、その逆側を背面側とする。
【００２０】
前記支柱１の上部には、背面側から前面側にその側面を貫通する貫通孔１１が穿設され、支柱１の上端には、円筒状の支柱１の開口を塞ぐように支柱キャップ１２が取付けられている。
【００２１】
前記横ビーム取付具３は、上段横ビーム２ａを支柱１に取付ける第一の横ビーム取付具３ａと、下段横ビーム２ｂを支柱１に取付ける第二の横ビーム取付具３ｂとを備えており、いずれも前記支柱１の前面側の側面に、後述するそれぞれの横ビーム取付部３２ａ、３３ｂが当接されて取付けられている。
【００２２】
前記第一の横ビーム取付具３ａは、円筒状の上段横ビーム２ａの前面側側面に当接され、それを支持する４分の１円弧状に形成された横ビーム受け部３１ａと、該横ビーム受け部３１ａの下方に配置され、横断面がコの字状に形成されて、このコの字状の底板部３２１ａが支柱１の側面に当接される横ビーム取付部３２ａとを備えている。そして、前記横ビーム受け部３１ａの下部両端には、ボルトＢ１を挿通して上段横ビーム２ａを固定するための透孔３１１ａが設けられ、また前記横ビーム取付部３２ａの底板３２１ａの中央には、前記横ビーム取付具用係止具４を支柱１に取付けるボルト５を挿通し、第一の横ビーム取付具３ａを支柱１に取付けるための透孔３２２ａが１個設けられている。
【００２３】
前記第二の横ビーム取付具３ｂは、円筒状の下段横ビーム２ｂの前面側側面に当接され、それを支持する４分の１円弧状に形成された横ビーム受け部３１ｂと、該横ビーム受け部３１ｂの下方に配置され、横断面がコの字状に形成された横ビーム受け部支持部３２ｂと、後述する横ビーム取付具用係止具４の取付部４３の当接部４３４に取付けられる横ビーム取付部３３ｂとを備え、前記横ビーム受け部３１ｂの上部両端には、ボルトＢ２を挿通して下段横ビーム２ｂを固定するための透孔３１１ｂが設けられている。そして、前記横ビーム取付部３３ｂは、コの字状の前記横ビーム受け部支持部３２ｂの底板部３２１ｂから左右に延設された平板状に形成されるとともに、前記第二の横ビーム取付具３ｂを前記横ビーム取付具用係止具４の取付部４３の当接部４３４に取付るための透孔３３１ｂが１個ずつ設けられている。
【００２４】
前記横ビーム取付具用係止具４は、前記支柱１の背面側側面に上下方向に沿って配置される縦長の縦板部４１と、該縦板部４１の上部に設けられて前記縦板部４１を支柱１に取付けるための係止部４２と、前記縦板部４１の下部に設けられて第二の横ビーム取付具３ｂが取付けられる取付部４３とを備えている。そして前記縦板部４１の上部に設けられた係止部４２には通孔４２１が設けられ、該通孔４２１と前記支柱１の貫通孔１１と第一の横ビーム取付具３ａの透孔３２２ａとに、前記ボルト５が支柱１の背面側から挿通されて、支柱１の背面側に配置された横ビーム取付具用係止具４と支柱１の前面側に配置された第一の横ビーム取付具３ａとが前記支柱１の上部に固定され、もって上段横ビーム２ａが支柱１に取付けられている。
【００２５】
また前記取付部４３は、その基端部４３１が前記縦板部４１に溶接され固定されているとともに、前記基端部４３１の左右から前面側に、平面視Ｕ字形となるように湾曲部４３２が突設され、その先端部４３３に横ビーム取付具３が取付けられている。さらに詳細に述べると、前記取付部４３の基端部４３１は、前記縦板部４１の前面側に取付けられ、前記基端部４３１から突設された湾曲部４３２の先端部４３３は、平面視Ｕ字形となされた左側の湾曲部４３２の先端が左側に略９０°折曲され、右側の湾曲部４３２の先端が右側に略９０°折曲されて、左右の当接部４３４が設けられるとともに、該当接部４３４には透孔４３５が穿設されている。そして、前記取付部４３の湾曲部４３２の内側面が支柱１の背面から左右の側面にわたって挟むように当接され、前記当接部４３４が支柱１の前面側に配置されて、前記当接部４３４の透孔４３５と前記横ビーム取付部３３ｂの透孔３３１ｂとにボルトＢ３が挿通され、前記第二の横ビーム取付具３ｂと前記横ビーム取付具用係止具４とが固定され、もって下段横ビーム２ｂが支柱１に取付けられている。
【００２６】
次に、既設の防護柵Ｋの支柱１ａに取付けられている柵部材を既設の支柱１ａから取り外して、上下に２段の横ビーム２を備えた防護柵Ｐに改修する防護柵の改修方法について、図２〜５を用いて説明する。
【００２７】
図２に示すように、前記既設の防護柵Ｋは、一般的にガードレールと称される防護柵であって、設置面Ｇに間隔をあけて立設された支柱１ａに、柵部材である縦断面が波板状のレール板Ｒがハット型の取付金具Ｔを介して、ボルトＢ４により１段取付けられている。この既設の防護柵Ｋの支柱１ａに取付けられているレール板Ｒを、ボルトＢ４を取外し既設の支柱１ａから取外すと、図３に示すように、設置面Ｇに既設の支柱１ａが立設された状態となる。
【００２８】
その後、前記既設の支柱１ａの背面側に上述の横ビーム取付具用係止具４の縦板部４１を配置し、前記既設の支柱１ａに穿設されている１個の貫通孔１１と前記係止部４２に設けられた通孔４２１とに前記ボルト５を前記既設の支柱１ａの背面側から挿通し、前記横ビーム取付具用係止具４を前記既設の支柱１ａに下方に沿わすようにして取付けるとともに、上段に位置する第一の横ビーム取付具３ａの透孔３２２ａに前記ボルト５を挿通し、第一の横ビーム取付具３ａを前記支柱１ａの前面側に取付ける。
【００２９】
また一方で、前記縦板部４１の下部に取付けられた平面視Ｕ字形となされた取付部４３の当接部４３４の透孔４３５と前記横ビーム取付部３３ｂの透孔３３１ｂとにボルトＢ３を挿通し、下段に位置する前記第二の横ビーム取付具３ｂと前記横ビーム取付具用係止具４とを取付ける。
【００３０】
そして、前記取付部４３に第二の横ビーム取付具３ｂを取付け、前記第一の横ビーム取付具３ａと第二の横ビーム取付具３ｂとにそれぞれ上段横ビーム２ａと下段横ビーム２ｂを取付けて、図５に示すように、既設の防護柵Ｋの改修が終わる。
【００３１】
なお上述の実施形態において、横ビーム２は、車輌が衝突した際の衝撃を吸収して容易に破断されないための必要な強度を考慮すると、強度的に安定しておりコストの安い鋼管を適宜長さに切断したものが好適に用いられ、耐食性を向上させるために、亜鉛めっきや塗装を施してもよく、横ビーム２の断面形状は円形であり、横ビーム２同士は横ビーム２内に挿入された筒状のスリーブ２１を介して横方向に連結されている。尚、横ビーム２の断面形状は矩形状あるいは楕円形状等でもよく、スリーブ２１の断面形状もその形状に合わせて横ビーム２同士を連結できるものであればよい。また前記スリーブ２１は、上段横ビーム２ａ及び下段横ビーム２ｂ内に挿入されて、上段横ビーム２ａ及び下段横ビーム２ｂを第一の横ビーム取付具３ａと第二の横ビーム取付具３ｂとに固定するボルトＢ１，Ｂ２により共締めされて、上段横ビーム２ａ及び下段横ビーム２ｂと一緒に固定されている。
【００３２】
また上述の実施形態においては、前記横ビーム取付具用係止具４の下部においては、前記縦板部４１と支柱１との間に取付部４３の基端部４３１が配置されるようになされているので、前記横ビーム取付具用係止具４の上部においては、前記係止部４２と支柱１との間に、前記基端部４３１の厚さと同じ厚さの平板４２２を挟むようになされているが、特にこれに限定されるものではなく、前記平板４２２を挟まずに、前記係止部４２を支柱１に係止してもよい。
【００３３】
また上述の実施形態において、横ビーム取付具用係止具４は支柱１の背面側に配置されるようになされているが、これに限定されるものではなく、横ビーム取付具用係止具４を支柱１の前面側に配置するようにしてもよい。
【００３４】
その場合の横ビーム取付具用係止具４の実施形態の一例としては、図９に示すように、縦長の縦板部４１の下部に設けられている取付部４３を横長の平板状に形成し、横ビーム取付具用係止具４を逆Ｔ字状に形成し、前記取付部４３の左右端部に透孔４３５を設ける（図９（イ））。また、図６に示す横ビーム取付具用係止具４の取付部４３の湾曲部４３２と略同じ形状の平面視Ｕ字形の保持部４４１を備えるとともに、保持部４４１の左先端が左に略９０°折曲され、保持部４４１の右先端が右に略９０°折曲された左右の当接部４４２に透孔４４３がそれぞれ穿設された保持具４４を別途形成する（図９（ロ））。そして、前記支柱１の前面側の側面に前記横ビーム取付具用係止具４を当接するとともに、前記支柱１の貫通孔１１と前記横ビーム取付具用係止具４の通孔４２１に前記ボルト５を挿通し、さらに第一の横ビーム取付具３ａの透孔３２２ａを前記ボルト５に挿通して、ナットで固定する。次に、前記保持具４４を支柱１の背面側から支柱１の側面に当接させ、前記保持具４４の当接部４４２と前記第二の横ビーム取付具３ｂの横ビーム取付部３３ｂとにより横ビーム取付具用係止具４の取付部４３を挟むようにして、前記ボルトＢ３を保持具４４の透孔４４３と取付部４３の透孔４３５と横ビーム取付部３３ｂの透孔３３１ｂとに挿通し、ナットで固定するようにしてもよい。
【００３５】
なお上述の実施形態において、上段横ビーム２ａと下段横ビーム２ｂとの間隔については、防護柵Ｐの要求される耐衝撃強度により所定の寸法に決められているものであり、その間隔を広げたり狭めたりする場合には、前記横ビーム取付具用係止具４の縦板部４１の長さを変更して対応すればよく、横ビーム２を上下に３段以上取付ける場合には、前記縦板部４１の長さを適宜調整し、横ビーム２の段数に応じて前記取付部４３を縦板部４１に取付ける様にすればよく、またその他の点においても、本発明の要旨を逸脱しない範囲において種々の変更を施した形態での実施が可能である。
【符号の説明】
【００３６】
１        支柱
１ａ      既設の支柱
１１      貫通孔
１２      支柱キャップ
２        横ビーム
２ａ      上段横ビーム
２ｂ      下段横ビーム
２１      貫通孔
３        横ビーム取付具
３ａ      第一の横ビーム取付具
３ｂ      第二の横ビーム取付具
３１ａ    横ビーム受け部
３１１ａ  透孔
３２ａ    横ビーム取付部
３２１ａ  底板部
３２２ａ  透孔
３１ｂ    横ビーム受け部
３１１ｂ  透孔
３２ｂ    横ビーム取付支持部
３２１ｂ  底板部
３３ｂ    横ビーム取付部
３３１ｂ  透孔
４        横ビーム取付具用係止具
４１      縦板部
４２      係止部
４２１    通孔
４２２    平板
４３      取付部
４３１    基端部
４３２    湾曲部
４３３    先端部
４３４    当接部
４３５    透孔
４４      保持具
４４１    保持部
４４２    当接部
４４３    透孔
５        ボルト
Ｐ        防護柵
Ｂ１      ボルト
Ｂ２      ボルト
Ｂ３      ボルト
Ｂ４      ボルト
Ｇ        設置面
Ｋ        既設の防護柵
Ｒ        レール板
Ｔ        取付金具
【図１】
2015048678.tif 000003
【図２】
2015048678.tif 000004
【図３】
2015048678.tif 000005
【図４】
2015048678.tif 000006
【図５】
2015048678.tif 000007
【図６】
2015048678.tif 000008
【図７】
2015048678.tif 000009
【図８】
2015048678.tif 000010
【図９】
2015048678.tif 000011